Podtech/llm-jp-corpus-v4-ja_patent huggingface dataset:
(57)【要約】      （修正有）【課題】住宅用縦辷り出し窓用に後付け雨除け庇を安全速やかに設置取付でき、降雨時でも窓を閉め切らずに室内の自然換気や外気流入ができ、突然の降雨でも室内への流入を防ぎ居住環境の向上に役立つ後付雨除け庇を提供する。【解決手段】後付け雨除け庇は透明、又は半透明で軽量硬質の平板プラスチック樹脂製で、既設の縦辷り出し窓の上部を十分に覆うことのできる長方形の形状とする。さらに、長手方向の片側先端部に緊結ネジを組み込んだ取付金具２を複数取付ける。これを縦辷り出し窓の一体構造上辺にある突起縁部位に挟着させ、取付金具のネジを締め緊結する。これにより後付け雨除け庇の設置取付が簡単速やかに実施でき以降、突然の降雨にも室内への流入を防ぐことで室内の自然換気や外気入換えができ開放感、居住環境の向上につながる。【選択図】図１
0003165242.tif 000002
【実用新案登録請求の範囲】
【請求項１】
透明又は半透明で軽量硬質の平板プラスチック樹脂製の庇（１）は長方形の形状を有し、長手方向の片側先端部に緊結ネジを組み込んだ略コ字状の取付金具（２）が複数取付られている構造で縦辷り出し窓用の後付け雨除け庇である。
【考案の詳細な説明】
【考案の詳細な説明】
【技術分野】
【０００１】  本考案は住宅のアルミサッシ窓の普及により従来あった庇は設置されなくなり、既設の縦辷り出し窓の構造は元より庇機構は無く、少し窓を開けて自然換気や外気入れ替えを実施しようとした場合、突然の降雨でも雨滴が室内に流入しないようにする縦辷り出し窓用後付け雨除け庇である。
【背景技術】
【０００２】  住宅新築時や増改築に市販されている既存庇は高価であり取付工事も費用、施工時間とも建主の負担が大きい。又、取付技術を持たない一般の人が設置導入を計画しても、安全速やかに取り付けられる適当な後付け雨除け庇の市販品は少ない。
【考案が解決しようとする課題】
【０００３】  本考案は既設の縦辷り出し窓に誰でも短時間で安全速やかに後付け雨除け庇を後付け設置ができ、降雨中でも窓を開ける事ができ自然換気や外気入換えなどの開放感、居住環境の快適性を高め、室内の床等に雨滴の流入を防ぐことを課題とする。
【課題を解決するための手段】
【０００４】  上述目的を達成するために、既設の縦辷り出し窓に取り付ける後付け雨除け庇は透明又は半透明で軽量硬質の平板プラスチック樹脂製板で、既設の縦辷り出し窓の上部を十分に覆うことのできる長方形の形状を有しており、長手方向の片側先端部には緊結用ネジを組み込んだ略コ字状の取付金具が複数取り付けられており、これを既設の縦辷り出し窓の一体構造上辺にある突起縁部位に挟着させ、取付金具のネジを締め緊結する。これにより後付け雨除け庇の設置が簡単速やかにでき、窓を閉め忘れた場合や突然の降雨でも室内への雨滴を防ぎ、窓を少し開けた自然換気や外気の入換えができ開放感や居住環境の向上が図れる。
【考案を実施するための形態】
【０００５】  考案の実施の形態について図面を参照して説明する。
図１の後付け雨除け庇は透明又は半透明で軽量硬質の平板プラスチック樹脂製板で、既設の縦辷り出し窓の上部を十分に覆うことのできる長方形の形状をしており、長手方向の片側縁には緊結ネジを組み込んだ図２の取付金具が複数取付られている。これを既設の縦辷り出し窓の一体構造の上辺にある突起縁部位に挟着させ、図２の取付金具のネジを締め緊結する。
【考案の効果】
【０００６】  本考案は上述のとおり構成されているので次に記載する効果を奏する。
【０００７】  本考案は既設の住宅用縦辷り出し窓の上部に後付け雨除け庇を後付け方式で安全速やかに設置することができる。開放感や居住環境を考え窓を少し開けて自然換気や外気流入など行う場合、突然の降雨でも本考案の後付け雨除け庇の設置により室内の内壁や床を濡らさない。
【０００８】  現代の住宅は気密性が向上し、降雨などは窓を閉め切ってしまい自然の外部の音が遮断されている。本考案により、窓を少し開けておくことで日本情緒的な優しい降雨の音が楽しめ日本文化の拠りどころとして生活に潤いを与える。
【図面の簡単な説明】
【図１】本考案の上部斜め側面部からみた図である。
【符号の説明】  １  後付け雨除け庇
２  取付金具
【図１】
0003165242.tif 000003
【手続補正書】
【提出日】平成22年10月25日(2010.10.25)
【手続補正１】
【補正対象書類名】実用新案登録請求の範囲
【補正対象項目名】全文
【補正方法】変更
【補正の内容】
【実用新案登録請求の範囲】
【請求項１】
透明又は半透明軽量硬質の樹脂製平板の縦辷り出し窓用の後付け雨除け庇であって、前記縦辷り出し窓用の後付け雨除け庇であって、前記縦辷出し窓用の後付け雨除け庇は長方形の形状を有し、長辺の一方に緊結ネジを組み込んだ略コ字状の取付金具が複数取付けられていることを特徴とする縦辷出し窓用の後付け雨除け庇。
【手続補正２】
【補正対象書類名】明細書
【補正対象項目名】０００１
【補正方法】変更
【補正の内容】
【０００１】  住宅建築の外窓に採用されている縦辷出し窓型の普及は従来からある庇を付けない建築構造となり、窓の開閉は縦開きする構造から室内の自然換気などで窓を半ドア状態で開けている時、突然の降雨などで室内へ雨滴が流入する不具合を防ぐことができる。
【手続補正３】
【補正対象書類名】明細書
【補正対象項目名】０００４
【補正方法】変更
【補正の内容】
【０００４】目的を達成するために、既設の外窓の縦辷出し窓に取り付ける後付ける後付け雨除け庇は、透明又は半透明で軽量硬質の樹脂製平板で縦辷り出し窓用の後付け雨除け庇であって、前記縦辷り出し窓用の後付け雨除け庇は長方形の形状を有し、長方形の長辺の一方に緊結ネジを組み込んだ略コ字状の取付金具が複数取付けられており、これを既設の縦辷出し窓の一体構造上辺にあるコ字型の突起部位に挟着させ取付金具のネジを締め緊結する。これにより後付け雨除け庇は設置が簡単速やかにでき取付工事は不要で、室内から安全に後付けができ、窓を閉め忘れ突然の降雨でも室内への雨滴を防ぎ、窓を半ドアに開けた自然換気や外気の入れ替えができ開放感や居住環境の向上が図れる。
【手続補正４】
【補正対象書類名】明細書
【補正対象項目名】０００５
【補正方法】変更
【補正の内容】
【０００５】考案の実施の形態考案の実施の形態について図面を参照して説明する。図１の後付け雨除け庇は透明又は半透明で軽量硬質の樹脂製平板で長方形の形状をしており長方形の長辺の一方に緊結ネジを組み込んだ図２の略コ字状の取付金具が複数取り付けられている。これを既設の縦辷出し窓の一体構造上辺にあるコ字型の突起部位に挟着緊結する構造。
(57)【要約】      （修正有）【課題】もれを防ぐ生理用ナプキンを提供する。【解決手段】綿素材からなる生理用ナプキンの両はじに、吸収素材エアバックを二重につけた構造を有する。【選択図】図１
0003165218.tif 000002
【実用新案登録請求の範囲】
【請求項１】
ナプキン／ライナー（生理用品）を綿素材でつくり、ふくらみや、吸収素材エコバックを両はじにふた重つけ、生理のときの出血を止める素材のＷエアバックナプキン／ライナー素材である型状のナプキン／ライナー（生理用品）。
【考案の詳細な説明】
【技術分野】
【背景技術】
【０００１】  ナプキン／ライナー（生理用品）（１）には、ふくらみ（２）とエアバック（３）がついていたがダブルハアバック（４）がなかった。よってこの今回の考案となった。
【技術背景】
【０００２】  ナプキン／ライナーにふくらみ（２）やエアバック（３）があったがダブルエアバック（４）はなかった。技術の進歩で今回の考案になった。
【考案が解決しようとする課題】
【０００３】  ナプキン／ライナー（１）にふくらみ（２）やエアバック（３）にもうひとつのダブルエアバック（４）をつけ生理内の出血を止める今回の考案になった。
【考案が解決しようとする手段】
【０００４】  ナプキン／ライナー（１）にふくらみ（２）やエアバック（３）にもうひとつのダブルエアバック（４）をつけて出血を生理的に止める今回の考案となった。
【作用】
【０００５】  ナプキン／ライナー（１）にふくらみ（２）やエアバック（３）ダブルエアバック（４）で生理の出血を完全にもれなく出血を止める今回の考案となった。
【実施例１】
【０００６】  ナプキン／ライナー（１）で生理を処理する考案。
【考案の効果】
【０００７】  ダブルエアバック（４）とエアバック（３）とふくらみ（２）で生理を処理する実用新案。
〔手続書類〕
【０００８】  〔対象書類名〕図面
〔対象項目名〕全図
〔図面１〕
【符号の説明】
【０００９】  １は、ナプキン／ライナー
２は、ボリュウム（ふくらみ）
３は、出血止めエアバック
４は、出血止めダブルエアバック
【図１】
0003165218.tif 000003
【手続補正書】
【提出日】平成22年7月1日(2010.7.1)
【手続補正１】
【補正対象書類名】実用新案登録請求の範囲
【補正対象項目名】全文
【補正方法】変更
【補正の内容】
【実用新案登録請求の範囲】
【請求項１】
生理用ナプキンあるいは生理用ライナーを綿素材でつくり、ふくらみや一般的な生理用ナプキンあるいは生理用ライナーについている出血止めのための吸収素材エアバックを両はじに二重につけ、生理のときの出血を止める素材の二重のエアバックの生理用ナプキンあるいは生理用ライナー素材である。型状の二重の出血止めのエアバックを二重につけた生理用ライナーあるいは生理用ナプキンをつくる生理用品。
【手続補正２】
【補正対象書類名】明細書
【補正対象項目名】全文
【補正方法】変更
【補正の内容】
【考案の詳細な説明】
【技術分野】
【背景技術】
【０００１】  ナプキン／ライナー（生理用品）（１）には、ふくらみ（２）とエアバック（３）がついていたがダブルハアバック（４）がなかった。よってこの今回の考案となった。
【技術背景】
【０００２】  ナプキン／ライナーにふくらみ（２）やエアバック（３）があったがダブルエアバック（４）はなかった。技術の進歩で今回の考案になった。
【考案が解決しようとする課題】
【０００３】  ナプキン／ライナー（１）にふくらみ（２）やエアバック（３）にもうひとつのダブルエアバック（４）をつけ生理内の出血を止める今回の考案になった。
【考案が解決しようとする手段】
【０００４】  ナプキン／ライナー（１）にふくらみ（２）やエアバック（３）にもうひとつのダブルエアバック（４）をつけて出血を生理的に止める今回の考案となった。
【作用】
【０００５】  ナプキン／ライナー（１）にふくらみ（２）やエアバック（３）ダブルエアバック（４）で生理の出血を完全にもれなく出血を止める今回の考案となった。
【実施例１】
【０００６】  ナプキン／ライナー（１）で生理を処理する考案。
【考案の効果】
【０００７】  ダブルエアバック（４）とエアバック（３）とふくらみ（２）で生理を処理する実用新案。
【図面の簡単な説明】
【０００８】
【図１】斜視図。
【符号の説明】
【０００９】  １は、ナプキン／ライナー
２は、ボリュウム（ふくらみ）
３は、出血止めエアバック
４は、出血止めダブルエアバック
【手続補正書】
【提出日】平成22年8月26日(2010.8.26)
【手続補正１】
【補正対象書類名】実用新案登録請求の範囲
【補正対象項目名】全文
【補正方法】変更
【補正の内容】
【実用新案登録請求の範囲】
【請求項１】
0003165218.tif 000004
【手続補正２】
【補正対象書類名】明細書
【補正対象項目名】考案の名称
【補正方法】変更
【補正の内容】
【考案の名称】
0003165218.tif 000005
【手続補正書】
【提出日】平成22年10月15日(2010.10.15)
【手続補正１】
【補正対象書類名】実用新案登録請求の範囲
【補正対象項目名】全文
【補正方法】変更
【補正の内容】
【実用新案登録請求の範囲】
【請求項１】
生理用ナプキンあるいは生理用ライナーを綿素材でつくり、ふくらみや一般的な生理用ナプキンあるいは生理用ライナーについている出血止めのための吸収素材エアバッグを、生理用ナプキン、あるいは生理用ライナーの両はじに二重につけた形状を有する生理用ナプキンあるいは生理用ライナー。
(57)【要約】      （修正有）【課題】安易にコンセントを追加することができる分岐可能な露出コンセントを提供する。【解決手段】露出コンセントに、電源入力部１箇所、出力部３箇所を設け、電線を３方向に分岐できるようにした。コンセント工事で、作業終了後の追加工事の際、コンセントを追加したい場所の近いコンセントから、電線または、ブレーカーの許容電流内であれば結線を省き付け足したコンセントに電源を供給できるようにした。【選択図】図１
0003165215.tif 000002
【実用新案登録請求の範囲】
【請求項１】
電源入力部１箇所、送り出力部３箇所を設け、分岐可能な露出コンセント。
【考案の詳細な説明】
【考案の詳細な説明】
【考案が解決しようとする課題】
【０００１】  従来の露出コンセントは、入力部１、出力部１のため、後でコンセントを複数付け足す際に、端末、または、途中の電線を切り離し、分岐させるための、接続専用のスリーブ、または、コネクターを使用しないと、コンセントを付け足すことができないという問題点を有していた。
【課題を解決するための手段】
【０００２】  上記目的を達成するために、コンセントに入力部１箇所、出力部３箇所を設け、結線を省き付け足したコンセントに電源を供給できるようにした。
【考案の効果】
【０００３】  コンセント工事で、作業終了後の追加工事の際、コンセントを追加したい場所の近いコンセントから（電線または、ブレーカーの許容電流内であれば）安易にコンセントを追加することができる。
【図面の簡単な説明】
【図１】  上面図である。
【図２】  下面図である。
【図３】  内部銅板図である。
【符号の説明】１  電線差込穴
２  銅板
３  電線押さえ金具
【図１】
0003165215.tif 000003
【図２】
0003165215.tif 000004
【図３】
0003165215.tif 000005
【手続補正書】
【提出日】平成21年12月25日(2009.12.25)
【手続補正１】
【補正対象書類名】実用新案登録請求の範囲
【補正対象項目名】全文
【補正方法】変更
【補正の内容】
【実用新案登録請求の範囲】
【請求項１】
従来の露出コンセント（入力部１出力部１）に従来の三分岐コネクターを組み合わせ、図３の銅板を図１に組み込み、電線挿し込み口を２箇所増やすことにより３分岐ができることを特徴とする露出コンセント。
【手続補正書】
【提出日】平成22年3月25日(2010.3.25)
【手続補正１】
【補正対象書類名】実用新案登録請求の範囲
【補正対象項目名】全文
【補正方法】変更
【補正の内容】
【実用新案登録請求の範囲】
【請求項１】
露出コンセントの入力部１個、出力部１個、に三分岐コネクターを組み合わせ、図３の銅板を図１に組み込み、電線挿し込み口を２箇所増やすことにより３分岐ができることを特徴とする露出コンセント。
【手続補正書】
【提出日】平成22年7月13日(2010.7.13)
【手続補正１】
【補正対象書類名】実用新案登録請求の範囲
【補正対象項目名】全文
【補正方法】変更
【補正の内容】
【実用新案登録請求の範囲】
【請求項１】
露出コンセントの入力部１個、出力部１個、に三分岐コネクターを組み合わせ、２の銅板を本体に組み込み、電線挿し込み口を２箇所増やすことにより３分岐ができることを特徴とする露出コンセント。
【手続補正書】
【提出日】平成22年10月12日(2010.10.12)
【手続補正１】
【補正対象書類名】実用新案登録請求の範囲
【補正対象項目名】全文
【補正方法】変更
【補正の内容】
【実用新案登録請求の範囲】
【請求項１】
露出コンセントの入力部１個、出力部１個、に三分岐コネクターを組み合わせ、銅板２を本体に組み込み、電線挿し込み口を２箇所増やすことにより３分岐ができることを特徴とする露出コンセント。
(57)【要約】【課題】  毎日、毎回薬の服用を飲み間違えたり、飲み忘れたりを防止出来るようにするため。【解決手段】  各薬箱１ごとに服用条件別に薬を入れ、服用時刻順にケース５の１番下から重ねて収納する。薬服用時刻に合わせ、１番下から薬箱１（２番目以上は引き出せない）を引き出し服用後、ケース５の上から最上段に重ね置く。薬箱１は色別けしてあり、視覚確認出来る。【選択図】図３
0003165220.tif 000002
【実用新案登録請求の範囲】
【請求項１】
本考案は、常用する（毎回）薬の飲み間違いや、飲み忘れを防止する薬箱とそれのケースで構成する。
【請求項２】
薬箱は引き出し式の段重ねとし、１番下の段から引き出しそれを薬服用後、ケース内最上段に重ね置く。
【請求項３】
薬箱の前面には引き出し取手と薬の服用条件（例：朝食前  各１錠）など表示するスペースと、内部には複数錠仕分けて入れらる仕切り板を設ける。
【請求項４】
薬箱材質は軽くて滑りやすい、半透明で色分けされた合成樹脂製のものである。
ケース材質は軽くて滑りやすい、半透明の合成樹脂製のものである。
【考案の詳細な説明】
【技術分野】
【０００１】  本考案は引き出し式の薬箱（色分けした）をケースに段重ねし、薬服用時１番下の（１段目）薬箱のみ引き出し可能で、それ以上薬箱はケースにストッパーが有る為引き出せない。１段目を引き出した際２段目以上は１番下まで下がる。
引き出した薬箱から服用条件（時刻）合わせ服用後、ケース内最上段に重ね置く。
【背景技術】
【０００２】  従来、薬別に収納する薬箱などは有るが、薬の飲み間違い、飲み忘れを防止確認出来る薬箱は無かった。
【考案の開示】
【考案が解決しようとする課題】
【０００３】  従来、薬を服用後、時間が経つと服用条件（時刻など）忘れてしまう心配があった。本考案は、この課題を解消するものである。
【課題を解消するための手段】
【０００４】  薬箱１を複数個用意し色分けされた薬箱に服用条件別に薬を入れ、服用時刻順に下から薬箱１をケース５に重ねて収納する。薬箱１前面には、引き出し取手と薬服用条件を表示（貼る）をする。
ケース５には薬箱全数が収納する高さ＋余裕を取った高さにする。上部は薬箱を重ね置くため開放にする。下部前面は薬箱１段目のみ引き出せるようし２段目以上薬箱は引き出せないよう、ケース５前面両側にストッパー設ける。最下段の薬箱のみ引き出せるようにし、服用後ケース５内最上段に重ね置く。
【考案の効果】
【０００５】  従来、薬をどこまで服用したのか忘れてしまうことがあった。本考案はケース５から最下段の薬箱１引き出し、薬服用条件（時刻など）ごと使用し、時折ケース５内の薬箱（色分けされた）段重ね状態を確認することで、薬をどこまで飲まれたか一目で解り飲み間違いや飲み忘れを防止出来る。
【図面の簡単な説明】
【０００６】
【図１】  薬箱とケースをセットにした状態を断面した平面図である。
【図２】  薬箱とケースをセットした状態を断面した側面図である。
【図３】  図２の正面図である。
【符号の説明】
【０００７】  １  薬箱
２  仕切り板
３  取手
４  薬の服用条件表示面
５  ケース
６  ストッパー
【図１】
0003165220.tif 000003
【図２】
0003165220.tif 000004
【図３】
0003165220.tif 000005
【手続補正書】
【提出日】平成22年10月15日(2010.10.15)
【手続補正１】
【補正対象書類名】実用新案登録請求の範囲
【補正対象項目名】全文
【補正方法】変更
【補正の内容】
【実用新案登録請求の範囲】
【請求項１】
内部に仕切り板と、前面に色分けした薬服用条件の表示シールと、引き出し取手を設けた箱と、上部及び前面が開放になっていて、最下段の箱１ケのみ引き出し可能で、最下段の箱に対応した部分を除いた前面両側にストッパーを付けた収納ケースとを設け、箱を段重ねに収納された状態を特徴とした薬箱。
(57)【要約】      （修正有）【課題】日常用鍵のキーカバーに基づいて、施錠／解錠状態を記憶するキーカバーを提供する。【解決手段】鍵のキーカバーに、施錠／解錠標識を付けて、記憶ボタンを装着し、記憶ボタンは施錠／解錠標識処に移動させ固定する。鍵のキーカバーによって、施錠／解錠状態の確認が出来、時間の有効利用と効率を高め、便利性、安全性を高めることができる。【選択図】図１
0003165216.tif 000002
【実用新案登録請求の範囲】
【請求項１】
鍵のキーカバーに、施錠／解錠標識を付け、記憶ボタンを装着し、記憶ボタンは施錠／解錠標識間に移動し、施錠／解錠標識処に固定する装置。
【考案の詳細な説明】
【技術分野】
【０００１】  この実用新案は、日常用鍵のキーカバーを基付いて、記憶部品を追加し、施錠／解錠状態記憶するものである。
【背景技術】
【０００２】  今まで、施錠の場所を離れて、施錠しているかとかを覚えてない事を時時にある。【０００３】  しかし、施錠／解錠状態の確認は、施錠の場所に戻すには必要なります。【０００４】  この実用新案は、鍵のキーカバーで、施錠／解錠状態記憶し、施錠／解錠状態の確認を出来ます。
【考案の概要】
【０００５】  上記の課題を解決するため、この実用新案により、鍵のキーカバーに、施錠／解錠標識を付けて、記憶ボタンを装着し、記憶ボタンは施錠／解錠標識処に移動と固定する装置である。
【考案が解決しようとする課題】
【０００６】  この実用新案の課題は、鍵のキーカバーによって、施錠／解錠状態確認するである。
【課題を解決するための手段】
【０００７】  上記の課題を解決し目的を達するために、この実用新案は、鍵のキーカバーに、施錠／解錠標識を付けて、記憶ボタンを装着し、記憶ボタンは施錠／解錠標識処に移動と固定することです。
【考案の効果】
【０００８】  この発明により、鍵のキーカバーによって、施錠／解錠状態の確認を出来る、時間有効利用と効率を高める、及び便利性、安全性を高めること。
【図面の簡単な説明】
【０００９】
【図１】実施例
【図２】施錠／解錠標識処に移動と固定
【符号の説明】
【００１０】  ▲１▼  記憶ボタン移動槽
▲２▼  記憶ボタン
▲３▼  鍵柄孔位置
▲４▼  鍵柄挿入位置
▲５▼  施錠／解錠標識
▲６▼  位置固定用弾性物
【実施例】
【００１１】  鍵のキーカバーに、施錠／解錠標識を付けて、記憶ボタンを装着し、記憶ボタンは施錠／解錠標識処に移動と固定することです。
【図１】
0003165216.tif 000003
【図２】
0003165216.tif 000004
【手続補正書】
【提出日】平成22年2月8日(2010.2.8)
【手続補正１】
【補正対象書類名】実用新案登録請求の範囲
【補正対象項目名】全文
【補正方法】変更
【補正の内容】
【実用新案登録請求の範囲】
【請求項１】
鍵のキーカバーに、施錠／解錠標識を付け、記憶ボタンを装着し、記憶ボタンは施錠／解錠標識間に移動し、施錠／解錠標識が存在する場所に固定する装置。
【手続補正書】
【提出日】平成22年5月17日(2010.5.17)
【手続補正１】
【補正対象書類名】実用新案登録請求の範囲
【補正対象項目名】全文
【補正方法】変更
【補正の内容】
【実用新案登録請求の範囲】
【請求項１】
鍵のキーカバーに、施錠／解錠標識を付け、記憶ボタンを装着し、記憶ボタンは施錠と解錠標識の間に移動し、施錠／解錠標識が存在する場所に固定する装置。
【手続補正書】
【提出日】平成22年8月18日(2010.8.18)
【手続補正１】
【補正対象書類名】実用新案登録請求の範囲
【補正対象項目名】全文
【補正方法】変更
【補正の内容】
【実用新案登録請求の範囲】
【請求項１】
鍵のキーカバーに、施錠／解錠標識を付け、記憶ボタンを装着し、記憶ボタンは施錠標識と解錠標識の間に移動し、施錠／解錠標識が存在する場所に固定する装置。
(57)【要約】      （修正有）【課題】中学生、高校生でも操作できるリモコン操作の、安全な草刈機を提供する。【解決手段】バッテリー、制御部、車輪部を本体にして、その先端に草切り（中央、右、左の３カ所で切る）（左右は上下動作必要）草取り入れ部、搬送部を作る。リモコンで操作し、本体は前進と左右に動作。前進速度と草カッター部と搬送部は、一体での動作する。【選択図】図１
0003168449.tif 000002
【実用新案登録請求の範囲】
【請求項１】
歩く早さ以上の速度で、畦の草を刈り取る機能を有し、中学生、高校生でも使用出来る、ロボット機能を持つリモコン形の草刈機械。
【請求項２】
安全性のために電波で（例として赤外線）バリアーを設け、バリアー以外では動作不可とする機能を持つ草刈機。
【請求項３】
動作電源は、充電電池で静かに作動し（迷惑防止）、将来的にはソーラー電池使用出来る草刈り機。
【考案の詳細な説明】
【技術分野】
【０００１】田圃の畦の草刈りを、高速で尚且つ、中学生、高校生でもリモコンで安全に作業出来るように、ロボット分野、充電池分野、位置測定分野、画像処理分野、切断分野等の各分野技術応用機械である。
【背景技術】
【０００２】現行のガソリン使用機器は、危険であり高齢者の肉体的負担が大きく、誰でも使用出来ない。又農地等の保全管理方法の改善が、必要と思われる。
【考案の概要】
【０００３】主として春、夏に畦草刈りが、年に何度か高齢者で行われておりこの作業は危険かつ重労であり、リモコン操作で中学生、高校生でも安全に作業出来る、楽しい作業へと変えたい。
【考案が解決しょうとする課題】
【０００４】草を切る、草の処理方法（エアー力使用）、異物対応（石／金属等リモコン操作等。
【考案を解決するための手段】
【０００５】ロボット技術／鍛練金属技術／映像認識技術／ＧＳＰ／無線／音声認識技術。
【考案の効果】
【０００６】草刈りは、日本のみならず、世界の各地でなされている作業であり、リモコン化で全世界で使用出来る機械にしたい。
【図面の簡単な説明】
【０００７】
【図１】リモコン草刈機の上部図
【図２】同機の前面図
【図３】同機の側面図
【実用新案を実施するための最良の形態】
【０００８】以下、本実用新案の形態を図１〜図３に基づいて説明。
【０００９】図１右側より入ってきた草は、▲１▼異物検知部をへて▲２▼カッター部で切断されて▲３▼搬送部を通り▲４▼排出部でまとめて畦に置かれる。▲５▼側草カッター部は、縦横に伸びる草を処理する装置である。
【産業上の利用可能性】
【００１０】農業、林業等草刈りの作業全て、全世界で使用出来る。
【図１】
0003168449.tif 000003
【図２】
0003168449.tif 000004
【図３】
0003168449.tif 000005
【手続補正書】
【提出日】平成23年1月5日(2011.1.5)
【手続補正１】
【補正対象書類名】実用新案登録請求の範囲
【補正対象項目名】全文
【補正方法】変更
【補正の内容】
【実用新案登録請求の範囲】
【請求項１】
１２ボルトの充電電池で動作する草刈機。
【請求項２】
リモートコントロールで、歩行以上の速さで、畦の草を刈り取る草刈機。
【請求項３】
安全性の為、電波の範囲で動作する草刈機。
【手続補正２】
【補正対象書類名】明細書
【補正対象項目名】全文
【補正方法】変更
【補正の内容】
【考案の詳細な説明】
【技術分野】
【０００１】畦の草刈りを、歩行速度以上で、リモートコントロール使用で安全に作業。ロボット分野等の応用機械である。
【背景技術】
【０００２】現行のガソリン使用草刈機は、危険であり使用者の肉体的負担が重く誰でも使用出来ない。又騒音が大きく、人家近くの農地等の保全方法が電池使用草刈機で解決できる。
【考案の概要】
【０００３】充電電池開発、ロボット開発技術が大きく進んでいる今、開発可能機械である。
【考案が解決しょうとする課題】
【０００４】草を切る、草の処理方法、異物対応、リモートコントロール操作等。
【考案を解決するための手段】
【０００５】ロボット技術／充電電池技術。
【考案の効果】
【０００６】草刈りは、日本のみならず、世界の各地でなされている作業であり、全世界で使用出来る。
【図面の簡単な説明】
【０００７】
【図１】草刈機の上部図
【図２】同機の前面図
【図３】同機の側面図
【実用新案を実施するための最良の形態】
【０００８】実用新案の形態を図１〜図３に基づいて説明。
図面１の右側より入ってきた草は、▲２▼カッター部で切断され▲３▼搬送部を通り、▲４▼排出部から畦に置かれる。
▲５▼側草カッター部は、縦横に伸びる草を処理。
【産業上の利用可能性】
【０００９】農業、林業等草刈りの作業で、全世界で使用出来る。
【手続補正３】
【補正対象書類名】図面
【補正対象項目名】全図
【補正方法】変更
【補正の内容】
【図１】
0003168449.tif 000006
【図２】
0003168449.tif 000007
【図３】
0003168449.tif 000008
【手続補正書】
【提出日】平成23年3月16日(2011.3.16)
【手続補正１】
【補正対象書類名】実用新案登録請求の範囲
【補正対象項目名】全文
【補正方法】変更
【補正の内容】
【実用新案登録請求の範囲】
【請求項１】
１２ボルトの充電電池を動力として備え、電波でのリモートコントロール用アンテンを備え、モーター力で金属はさみ形切歯動作により、畦の草を切る特徴を備える、リモートコントロール草刈機。
(57)【要約】      （修正有）【課題】イースト発酵パンに簡単に酒種風味を付与することができる酒粕入りシート状ペーストを提供する。【解決手段】酒粕を含有するペーストをシート状にし、パン生地に層状に折り込む。【選択図】図３
0003168489.tif 000002
【実用新案登録請求の範囲】
【請求項１】
酒粕を含有するペーストをシート状にしたもので、パン・菓子に容易に酒種風味や甘酒風味を付与することができることができる酒粕入りシート状ペースト。
【考案の詳細な説明】
【技術分野】
【０００１】  本考案は、パンに酒種風味を付与することのできる酒粕入りシート状ペーストに関するものである。
【背景技術】
【０００２】  日本の伝統的なパンとして、酒粕を発酵させてできた酒種を使用して発酵させた酒種パンがある。日本酒を製造する過程で生じる酒粕を廃棄することなく、再利用する観点からも現在注目されている。
また、フラワーペーストや油脂をシート状にし、パン生地に層状に折り込み、層を見せるパンの製造技術は、一般的に行われている。
【考案の開示】
【考案が解決しようとする課題】
【０００３】  この酒種パンを製造するためには、次のような問題点があった。
酒種パンを製造するためには、酒種に他の発酵菌種が混入しないように、隔離された場所が必要だった。また、この酒種の風味をパン生地に付与する目的で、イーストを混入したパン生地に酒種風味料を練り込むことが行われていたが、イーストの発酵を阻害しないために、酒種風味原料は酒種を完全に殺菌する必要があり、殺菌、抽出などの工程により酒種風味が弱まっていた。また、イーストを使用したパンの発酵風味は強く、酒種風味料を練り込んでも、酒種風味が付与しにくいという問題もあった。
本考案は、これらの問題点を解決するためになされたものである。
【課題を解決するための手段】
【０００４】  酒粕を含有するペーストをシート状にしたもので、パンに容易に酒種風味や甘酒風味を付与することができることができる酒粕入りシート状ペーストである。
【考案の効果】
【０００５】  本考案は、イーストを混入したパンに酒粕入りのペーストを練り込むのではなく、酒粕入りペーストをシート状にして層状に折り込むことで、酒種風味をパン生地に付与することができる。また、ペーストの色は酒かす由来の色のため、パン生地に層状に折り込まれているように見えず、あたかも練り込まれたかのように見えることも特徴である。もちろん、特別に製造場所を分ける必要もない。
【考案を実施するための最良の形態】
【０００６】  以下、本考案の実施の形態を説明する。
本考案は、酒粕入りのペーストをパン生地に均一に折り込まれるように、フィルムに入れて均一な厚さに延展されたものである（図１）。酒粕入りのペーストは、酒粕と、ペースト状にするための原料としてデンプン、油脂、水、さらに酒粕の風味を強調するために植物性発酵原料からなる混合液を１回だけ加熱して作る。
本考案の利用方法を説明する。
本考案は、イースト発酵させたパン生地を伸展させたものに包んで（図２）、伸展し、それをたたむ、ということを数回行い、パン生地に折り込んで使用する（図３）。折り込んで、適当な形に整えた後、焼成することで、パン生地に酒種風味を付与することができる。
【図面の簡単な説明】
【０００７】
【図１】本考案の斜視図
【図２】本考案の使用状態を示す図
【図３】本考案の使用状態を示す断面図
【符号の説明】
【０００８】１    酒粕入りシート状ペースト
２    イースト発酵パン生地
【図１】
0003168489.tif 000003
【図２】
0003168489.tif 000004
【図３】
0003168489.tif 000005
(57)【要約】      （修正有）【課題】肌襦袢に似せた和装用襟付きＴシャツを提供する。【解決手段】Ｔシャツの前身頃に深い襟刳りを設け、この襟刳りに沿って肌襦袢の襟に似せた襟材を逢着する。【選択図】図１
0003168488.tif 000002
【実用新案登録請求の範囲】
【請求項１】
本考案の和装用襟付きＴシャツは肌着の丸首Ｔシャツの前身頃の首部をＶ字型に深く襟刳りを設けこの襟刳りに沿って和装用の肌襦袢の襟を逢着して襟元を和装用の肌襦袢に似せたことを特徴とした、和装用襟付きＴシャツの構造
【考案の詳細な説明】
【技術分野】
【０００１】  本考案は、和服着用時に襟元にのぞく襦袢と肌着を兼ねたＴシャツに関するものである。
【背景技術】
【０００２】  和服着用で仕事をする僧侶、神官、役者等の職業では一日に何回も着替えを余儀なくされる場合が少なくない、そのため何枚もの肌襦袢を用意して、嵩張る荷物を持ち歩かなければならない、しかも着替えの度に多くの時間をついやさなければならない欠点があった。
【先行技術文献】
【非特許文献】
【０００３】
【非特許文献１】「作務衣」と半襦袢
【考案の概要】
【考案が解決しようとする課題】
【０００４】  本考案は、以上のような欠点を解消するために、大人から子供までが普段着として気軽に着用しているシンプルなＴシャツに襦袢の襟を装着して高級感を醸し出し和装用に改造した和装用襟付きＴシャツを提供することを目的としている。
【課題を解決するための手段】
【０００５】  本考案は、上記の目的を達成するために、Ｔシャツの前身頃の首部をＶ字型に深く切り込んだ襟刳りを設け、この襟刳りに沿って和装用の肌襦袢の襟に似せた襟地を逢着して襟元を整えることで重ね着したとき和装の肌襦袢と見まがうほどに形成されている。【０００６】  このように形成された和装用襟付きＴシャツの襟部はニット地と調和するように複数の芯地を和裁の既存技術で折り重ねて構成されているので襟元のしゃっきり感と清涼感は従来の肌襦袢と遜色がないものを提供できる。
【考案の効果】
【０００７】  上述のように、本考案の和装用襟付きＴシャツは生地がニット地であるため軽くて嵩張らず吸湿性に富み作業性に優れている。【０００８】  上記の作業性を重視する僧侶、神官、役者等の職業の人々には作務衣同様に作業用のツールとして極めて安価に提供できる効果がある。
【図面の簡単な説明】
【０００９】
【図１】本考案を実施するための第一の形態の正面図である。
【図２】本考案を実施するための第一の形態の背面図である。
【考案を実施するための形態】
【００１０】  本考案の和装用襟付きＴシャツは肌着の丸首Ｔシャツ本体１の前身頃の襟部に深いＶ字型の襟刳り６を設け、この襟刳り６に沿って肌襦袢の襟に似せた襟５を逢着して成る和装用襟付きＴシャツの形態である。
【００１１】  襟５は本体１の柔軟性を支える重要な働きを持っているため腰の強い織物地を用いて、従来からの和裁の技法により複数の布を重ね合わせてボリュームを増やし襟５の見栄えを整え形状を保持すると同時に肌触りの清涼感を高める新素材の選択は常に求められる。
【実施例】
【００１２】  以下、添付図面に従って一実施例を説明する。図１において１はニット地で出来たＴシャツ本体である、２は同じくニット地で出来たＴシャツ１の両袖である、３は本体１の前身頃である、５は前身頃３の襟刳り６に逢着された本考案の襟である、６は襟５を逢着するためのベースとなる襟刳りである、【００１３】  図２において４は後見頃である、５は後ろから見た襟５の形状である。【００１４】  本体１の前身頃３に襟５が逢着出来るように前身頃３に襟刳り６を設け、この襟刳り６に沿って襟５を逢着して襟５の形状を見栄え良く整えれば、Ｔシャツ本体１と本考案の襟５を組み合わせて成る和装用襟付きＴシャツが形成される。
【産業上の利用可能性】
【００１５】  以上のように通常の丸首Ｔシャツに和服に似せた襟を逢着したことで、和装での仕事を生業とする僧侶、神官、役者等多くの職業の人々の活動の場に浸透すれば本考案のもたらす経済効果は計り知れない。
【符号の説明】
【００１６】  １  本体
２  袖
３  前身頃
４  後身頃
５  襟
６  襟刳り
【図１】
0003168488.tif 000003
【図２】
0003168488.tif 000004
(57)【要約】      （修正有）【課題】スラックス等を簡易ハンガーに掛けたまま簡単、大量に収納可能とするコンパクトな収納具を提供する。【解決手段】四方を左右サイドフレーム１，２、及び前後フレーム４，６を配して簡易ハンガーを掛ける収納具を形成する。この構成において、左右サイドフレームの左右同位置の上部分に複数個の櫛目状の垂直溝３を設ける。また、櫛目のサイズは針金製簡易ハンガー、或いは樹脂製薄型簡易ハンガーの挿入可能な１０ｍｍ以下の幅であり、垂直方向深さは１５０ｍｍ以下とし、スラックス等をハンガーに掛けた状態で簡易ハンガーの左右の端を左右の櫛目に挿入して、収納する方式の簡易ハンガーを掛ける櫛目式収納具を構成する。【選択図】図１
0003168490.tif 000002
【実用新案登録請求の範囲】
【請求項１】
（１）四方を左右のサイドフレーム、及び前後フレームで構成する簡易ハンガーを掛ける収納具であって、（２）左右サイドフレームの左右同位置の上部分に複数個の櫛目状の垂直溝を設け、（３）櫛目のサイズは針金製簡易ハンガー、或いは樹脂製薄型簡易ハンガーの挿入可能な１０ｍｍ以下の幅であり、垂直方向深さは１５０ｍｍ以下とし、（４）スラックス等をハンガーに掛けた状態で簡易ハンガーの両端を櫛目に挿入し収納する方式の（５）簡易ハンガーを掛ける櫛目式収納具。
【考案の詳細な説明】
【技術分野】
【０００１】  本考案は簡易ハンガーを掛ける収納具に関するものである。
【背景技術】
【０００２】  従来、簡易ハンガーに吊るしたズボン等は洋服ダンス、或いは洋服吊りに掛けていた。
【考案の開示】
【考案が解決しようとする課題】
【０００３】  従来、簡易ハンガーに吊るしたズボン等は洋服ダンス、或いは洋服吊りに掛けていたため、ズボン等の下に無駄な空間、スペースができている点を解決課題とする。
【課題を解決するための手段】
【０００４】  本考案は従来の問題点を解決するため、簡易ハンガーを掛ける収納具の四方を左右のサイドフレーム、及び前後フレームで構成し、左右サイドフレームの上部分左右同位置に複数個の櫛目状の垂直溝を設け、櫛目溝のサイズは針金製簡易ハンガー、或いは樹脂製薄型簡易ハンガーの挿入可能な１０ｍｍ以下の幅であり、垂直方向深さは１５０ｍｍ以下とし、スラックス等をハンガーに掛けた状態でハンガーの左右の端を櫛目に挿入しズボン等を吊るした状態で収納する櫛目式収納具を解決手段とする。
【考案の効果】
【０００５】  上記考案の簡易ハンガーを掛ける収納具にスラックス等をハンガーに掛けた状態でハンガーの左右の端を櫛目に挿入し吊るした状態で収納する収納具により大量にズボン等を簡易ハンガーに掛けたままの状態で収納可能となる効果がある。
【考案を実施するための最良の形態】
【０００６】  簡易ハンガーを掛ける収納具の四方を左右のサイドフレーム、及び前後フレームで構成し、左右のサイドフレーム上部分左右同位置に複数個の櫛目状垂直溝を設け、櫛目溝のサイズは針金製簡易ハンガー、或いは樹脂製薄型簡易ハンガーの挿入可能な１０ｍｍ以下の幅であり、垂直方向深さは１５０ｍｍ以下とし、スラックス等をハンガーに掛けた状態でハンガーの左右の端を櫛目に挿入し吊るし収納する収納具により高さが低く大量にズボン等を簡易ハンガーに掛けたまま収納可能可能とする本考案を以下、図１〜図５を参照して実施するため最良の形態を説明する。
【実施例】
【０００７】  以下、添付図に従って実施例を説明する。図１は簡易ハンガーを掛ける収納具参考例斜視図である。左右同位置上部分に複数個の幅１０ｍｍ以下、垂直方向深さ１５０ｍｍ以下の櫛目状垂直溝３を設けた左右上サイドフレーム１、左右下サイドフレーム２、前フレーム４、及び後フレーム６によって簡易ハンガーを掛ける収納具を構成した斜視図である。尚、上サイドフレーム１、下サイドフレーム２が一体で一枚のパネルで構成される、或いは前フレーム４，及び後フレーム６が２枚以上の複数構成の場合もあり、又底板５は付属しない場合もあり図示に限定するものではない。尚、櫛目３の垂直溝は厳密な垂直に限定するものではない。サイドフレーム１、２、及び前後フレーム４，６の材質、形状、サイズ等はワイヤー製、樹脂製、木製等多種多様であり図示に限定するものではない。【０００８】  図２は図１の簡易ハンガーを掛ける収納具の位置である７の部分よりの断面図である。収納具高さが低い場合図示の様に、ズボン等８を掛けた簡易ハンガー９のハンガーフック部１１を下方向に向け、サイドフレーム１に設けた櫛目状溝３に簡易ハンガー９の両サイドを矢印方向１０に差し込むことにより収納可能となる。高さの低いコンパクトな収納具でも大量のズボン等をクリーニングの終えた簡易ハンガー９に吊るした状態で収納可能となる形態の説明図である。【０００９】  図３は同じく図１の簡易ハンガーを掛ける収納具の位置である７の部分よりの断面図である。簡易ハンガーを掛ける収納具高さに余裕がある場合、或いはズボン等８の収納物の高さが低い場合、図示の如く簡易ハンガーフック部１１が上方にある通常方向での吊るす方法が可能な場合の断面説明図である。【００１０】  図４はサイドフレーム１、前後フレーム４，６をワイヤー、パイプ、樹脂等により形成した参考例斜視図である。図示の如くサイドフレーム１と前後フレーム４，６が一体で形成される場合、ワイヤー、パイプ、樹脂等により簡易ハンガーを差し込む櫛目状溝３、左右フレーム１、前後フレーム４，６を形成する場合も請求項１に含まれることを説明する図である。同様に前後フレーム４，６の形状は図示のような４本脚に限定せずＩ型、逆Ｔ型脚の場合も請求項１に含まれる。
【図面の簡単な説明】
【００１１】
【図１】  簡易ハンガーを掛ける収納具外観参考例斜視図
【図２】  図１断面使用例説明図
【図３】  図１断面使用例説明図
【図４】  簡易ハンガーを掛けるワイヤー製収納具参考例斜視図
【符号の説明】
【００１２】  １  上サイドフレーム
２  下サイドフレーム
３  櫛目状溝
４  前フレーム
５  底板
６  後フレーム
７  断面表示位置
８  ズボン等
９  簡易ハンガー
１０  収納方向矢印
１１  簡易ハンガーフック部分
【図１】
0003168490.tif 000003
【図２】
0003168490.tif 000004
【図３】
0003168490.tif 000005
【図４】
0003168490.tif 000006
(57)【要約】      （修正有）【課題】金属製バックパネルのうなり音を低減する電源モジュールを提供する。【解決手段】複数のラインフィルタを電源ラインに備える電源モジュールであって、電源モジュールは金属製バックパネルで直上を覆われていて、各ラインフィルタの磁界が平行となるように配置され、かつ隣り合うラインフィルタの磁界の向きが互いに逆となるように、これらのラインフィルタに電流を流す。【選択図】図１
0003168411.tif 000002
【実用新案登録請求の範囲】
【請求項１】
複数のラインフィルタを電源ラインに備える電源モジュールであって、前記電源モジュールは磁性特性を持つ金属板で直上を覆われていて、複数のラインフィルタは、各ラインフィルタの磁界が平行となるように配置され、隣り合うラインフィルタの磁界の向きが互いに逆となるようにこれらのラインフィルタに電流を流すことを特徴とする電源モジュール。  
【考案の詳細な説明】
【技術分野】
【０００１】
本考案は、複数のラインフィルタを交流電源ラインに備えるスイッチング電源等の電源モジュールの構造に関する。
【背景技術】
【０００２】
電源電圧を電源ラインから機器に入力する際、所定の電源電圧以外に雑音電圧が機器内部に侵入し、入力されることがある。また、機器内部からは、例えばスイッチング電源において、スイッチング周波数の高周波におけるノイズが発生する。このような機器の電源内部からのノイズ除去のために電源ラインにはラインフィルタが主に用いられる。
【考案の概要】
【考案が解決しようとする課題】
【０００３】
上述の通り、電源ラインのノイズ除去のためにラインフィルタを用いた場合、このラインフィルタのコイルに電流が流れることにより磁界を生じさせる。
【０００４】
近年、液晶テレビ等のフラットパネルディスプレイにおいては、薄型化が図られ、それに伴い電源モジュールの薄型化が要請されてきている。そのため、電源モジュールに搭載するラインフィルタとそれに接するバックパネルの距離を十分に確保することが困難となってきている。また、バックパネル自体の材質も、強度や放熱性を確保するため、金属製のものが使用される。
【０００５】
このように、ラインフィルタとバックパネルとの距離が狭くなったことや、バックパネルが金属製となったことで、電源モジュールに搭載するラインフィルタから生じた磁界により、平板形状の金属製のバックパネルが影響を受ける。このとき、ラインフィルタには交流電源として一般商用周波数の50Hz、60Hzの交流電圧が印加されるため、スピーカー効果となってうなり音を生じる。
【課題を解決するための手段】
【０００６】
上記の課題を解決するために、本考案は、以下に掲げる構成とした。  複数のラインフィルタを電源ラインに備える電源モジュールであって、前記電源モジュールは磁性特性を持つ金属板で直上を覆われていて、複数のラインフィルタは、各ラインフィルタの磁界が平行となるように配置され、隣り合うラインフィルタの磁界の向きが互いに逆となるようにこれらのラインフィルタに電流を流すことを特徴とする。
【考案の効果】
【０００７】
本考案の電源モジュールは、２つのラインフィルタから生じる磁界を互いに打消すことで、バックパネルに与える磁界の影響を低減し、金属製バックパネルからのうなり音を抑制する効果を奏する。
【図面の簡単な説明】
【０００８】
【図１】本考案による電源モジュールの要部の一構成例を示す図である。
【図２】図１に示した２つのラインフィルタの配線の一例を示した図である。
【考案を実施するための形態】
【０００９】
以下、本考案の実施の形態について、詳細に説明する。但し、図面は模式的なものであり、寸法関係の比率等は現実のものとは異なる。
【実施例１】
【００１０】
以下、図面を参照して本考案の実施例１に係る構成を説明する。図１は、本考案の実施例１に係る電源モジュールの要部の一構成例を示す図である。
【００１１】
図１の電源モジュールには、２つのラインフィルタＬ１、Ｌ２が基板１上に設けられ、それぞれのラインフィルタには、ここに図示しない交流電源からの交流電圧が印加される。そして、２つのラインフィルタの直上には、平板形状の金属製のバックパネルが配置される。また、Ｂ１、Ｂ２は、交流電源からの電流Ｉが図示した方向に流れた場合に、各ラインフィルタＬ１、Ｌ２が生成する磁界の方向を示したものである。
【００１２】
ラインフィルタＬ１、Ｌ２は、巻線の極性に対して電流が流れる向きが逆方向になるように接続されているため、ラインフィルタＬ１、Ｌ２により生成される磁界Ｂ１、Ｂ２は互いの磁束を打消して弱められる。そのため、ラインフィルタ直上に配置される平板形状の金属製のバックパネルに対し、ラインフィルタから生じる磁界の影響を低減でき、前記のようなうなり音を解消することができる。
【符号の説明】
【００１３】
１、基板２、バックパネルＩ、電流Ｌ１、Ｌ２、ラインフィルタＢ１、Ｂ２、磁束  
【図１】
0003168411.tif 000003
【図２】
0003168411.tif 000004
(57)【要約】      （修正有）【課題】手の洗浄効果の高い手洗い用スポンジタワシを提案する。【解決手段】スポンジタワシはスポンジ体Ａに溝Ｂを形成し、溝底部にブラシＣを設け、これを使用して水道水、手洗い洗剤で手洗いをする。洗い方はスポンジ体Ａの溝Ｂ部に指を入れてこすり手の表面はスポンジ体表面、指先、ツメの間はブラシ部分で指を立ててこする事により汚れを落としたのち水道水でよく洗い流す。使用後のスポンジタワシは専用の容器に収め殺菌、消毒する。【選択図】図１
0003168477.tif 000002
【実用新案登録請求の範囲】
【請求項１】
スポンジ体の表面に１本又は複数本の溝を設け溝底部に１本又は複数本のブラシ部のあることを特徴とするスポンジタワシ。
【考案の詳細な説明】
【技術分野】
【０００１】本考案は手洗い用スポンジタワシに関するものである。
【背景技術】
【０００２】インフルエンザ、ノロウイルス、食中毒等の予防に手洗いは重要な予防法であるが一般的に手洗い洗剤で水道水を使用して手のみで洗っているわけであるが手のみで洗った場合は指先やつめの間、指の間等に洗い残しがあり十分に手全体の洗浄がしにくい欠点があった。
【考案の概要】
【考案が解決しようとする課題】
【０００３】手で手洗い洗剤等で水道水で手洗い又は一般的なスポンジタワシ等を用いて同様の手洗いを行っても手の各部特に指先、ツメの間、指の間等の汚れが落ちにくいなどの上述の欠点を解決しようとするものである。
【課題を解決するための手段】
【０００４】本考案はスポンジ体の表面に１本又は複数本の溝を設けさらに溝内底部にブラシ部分を設けた手洗い用スポンジタワシを使用することにより手の各部、特に指先、ツメの間指に間等の汚れが落ちやすくなり上述の欠点を解決している。
【考案の効果】
【０００５】上述の様に本考案の手洗い用スポンジタワシは表面に溝があり、溝底部にブラシが設けてあるために、これを使用して手洗いをするとスポンジ体表面の溝に指が入り指の間  指全体がむらなく洗うことが出来、指先、ツメの間は溝に指を立ててこすることにより、指先、ツメの間にスポンジ体、ブラシ部分が指触することにより、手のみ及び一般的なスポンジタワシを使用するのに較べ手の汚れが落ちやすくなり手の洗浄効果が一段とアップする。
【図面の簡単な説明】
【０００６】
【図１】本考案のスポンジタワシの上面図である。
【図２】本考案のスポンジタワシの断面図である。
【考案を実施するための形態】
【０００７】手を水道水により流し手洗い洗剤で手をもみ洗いし本考案のスポンジタワシで手の甲、手の平、指の間、ツメの間等を入念にブラッシングする事により従来の手洗い方法よりも手の洗浄効果が一段とアップするものである。
【実施例】
【０００８】以下添付図面に従って一実施例を説明する。
本考案のスポンジタワシはスポンジ体に溝があり、溝底部にブラシ部分があり、これを使用して水道水、手洗い洗剤で手洗いをする。
洗い方はスポンジ体Ｂ部に指を入れてこすり手の表面はスポンジ体表面、指先、ツメの間はＤ部のブラシ部分で指を立ててこする事により汚れを落としたのち水道水でよく洗い流す。
使用後のスポンジタワシは専用の容器に収め殺菌、消毒する。
【符号の説明】
【０００９】Ａ  スポンジ体
Ｂ  スポンジ体表面の溝（凹部）
Ｃ  ブラシ
【図１】
0003168477.tif 000003
【図２】
0003168477.tif 000004
(57)【要約】      （修正有）【課題】家庭において服に容易にプリント出来るシールを提供する。【解決手段】透明のアプリシート２と熱転写シート３とが粘着剤４により接着されたシールであって、熱転写シート３は絵柄の形状で、このシールの転写シート３の側を服に当てて、アイロンを上からあてて、熱を加えることにより、服に柄を転写できる。【選択図】図１
0003168496.tif 000002
【実用新案登録請求の範囲】
【請求項１】
透明のアプリシート２に粘着剤４により熱転写シート３が接着されたシールであって、熱転写シート３は絵柄の形状で、このシールの転写シート３の側を服に当てて、アイロンを上から当て、熱を加えることにより、服に絵柄を転写できるようにしたことを特徴とするアイロンプリントシール。
【請求項２】
前記アプリシート２はＰＥＴ樹脂素材で、熱転写シート３はポリウレタン素材であることを特徴とする請求項１記載のアイロンプリントシール。
【考案の詳細な説明】
【技術分野】
【０００１】服にアイロンの熱で転写するアイロンプリントシールに関する。
【背景技術】
【０００２】
【先行技術文献】
【特許文献】
【０００３】
【特許文献１】特開２００８−１９７４９７公報
【考案の概要】
【考案が解決しようとする課題】
【０００４】服に容易にプリントできるシールはなかった。
【課題を解決するための手段】
【０００５】透明のアプリシート２に粘着剤４により熱転写シート３が接着されたシールであって、熱転写シート３は絵柄の形をしており、このシールの転写シート３の側を服に当てて、アイロンを上から当て、熱を加えることにより、服に柄を転写できるようにしたことを特徴とするアイロンプリントシール。【０００６】前記アプリシート２はＰＥＴ樹脂素材で、熱転写シート３はポリウレタン素材であることを特徴とするアイロンプリントシール。
【考案の効果】
【０００７】家紋や文字や動物の絵などを容易に、家庭にて服などに転写できるようになる。
【図面の簡単な説明】
【０００８】
【図１】本考案のアイロンプリントシールの構成  （ａ）アイロンプリントシート  （ｂ）柄を切り抜いたアイロンプリントシート
【図２】本考案のアイロンプリントシートの使用方法  （ａ）アイロンでプリントする図  （ｂ）アプリシートを剥がす状態
【考案を実施するための形態】
【０００９】  図１は、本考案のアイロンプリントシールの構成である。
図１の（ａ）のように。本考案のアイロンプリントシール１は、透明のアプリシート２、熱転写シート３、粘着剤４から構成され、透明のアプリシート２の上面に塗られた粘着剤４により、熱転写シート３が接着されている。
熱転写シート３は、図１の（ｂ）のように、カッターナイフもしくはカッティングプロッター機などにより絵柄以外の部分を取り除き、絵柄の形状が残るようにしている。
この状態で、このシールの転写シート３側を服に当てて、アイロンを上からあてて、熱を加えることにより、服に柄を転写する。
【００１０】図２は、本考案のアイロンプリントシートの使用方法を示す。
図２の（ａ）のように、服にアイロンプリントシール１を当てて、その上からアイロンを当てる。次に、図２に（ｂ）のように、アプリシート２を剥がすと、服に絵柄の部分の熱転写シート３が転写される。
【産業上の利用可能性】
【００１１】  家庭にて、容易に服にプリントできるシールを提供する。
【符号の説明】
【００１２】  １    アイロンプリントシール
２    アプリシート
３    熱転写シート
４    粘着剤
５    アイロン
６    服
【図１】
0003168496.tif 000003
【図２】
0003168496.tif 000004